(57)【要約】【課題】小型の電子機器の表面に華飾パネルを備えて外観性を良好に確保できる電子機器を提供する。【解決手段】電子機器１０は、上筐体１２と、上筐体１２において同一方向を向くとともに互いに隣り合う第１表面２４および第２表面２５と、第２表面２５における第１表面２４側に設けられる華飾パネル４１と、華飾パネル４１における第２表面２５側に設けられ、第２表面２５に接触する鍔部４２と、第２表面２５および鍔部４２を覆う外装パネル４３とを備えている。【選択図】図５
2012234929.tif 000002
【特許請求の範囲】
【請求項１】
筐体と、
前記筐体において同一方向を向くとともに互いに隣り合う第１表面および第２表面と、
前記第２表面における前記第１表面側に設けられる華飾パネルと、
前記華飾パネルにおける前記第２表面側に設けられ、前記第２表面に接触する鍔部と、
前記第２表面および前記鍔部を覆う外装パネルと、を備える電子機器。
【請求項２】
請求項１に記載の電子機器において、
前記華飾パネルが前記第１表面に対して突出する電子機器。
【請求項３】
請求項１または請求項２に記載の電子機器において、
前記外装パネルが、前記第２表面に対して両面テープおよびダボのうちのすくなくとも一方を介して固定されている電子機器。
【請求項４】
請求項１ないし請求項３のうちのいずれか１項に記載の電子機器において、
前記筐体が前記第１表面および前記第２表面に対して交差する一対の側面を有し、
前記華飾パネルが、前記各側面に廻り込む略コ字状であるとともに、長手方向両端部にそれぞれ爪部が設けられている電子機器。
【請求項５】
請求項１ないし請求項４のうちのいずれか１項に記載の電子機器において、
前記華飾パネルが、第２表面に対して両面テープおよびダボのうちのすくなくとも一方を介して固定されている電子機器。
【発明の詳細な説明】
【技術分野】
【０００１】
本発明は、筐体の外観性を良好に確保するために筐体に装飾用の華飾部が帯状に設けられた電子機器に関する。
【背景技術】
【０００２】
テレビジョン受像機等を載置するキャビネットのなかには、互いに隣り合う第１筐体および第２筐体を備え、第１筐体および第２筐体間に飾り桟（以下、華飾パネルという）を備えることによりキャビネットの外観性を確保するように工夫したものがある。
【０００３】
このキャビネットは、第１筐体の凸部が華飾パネルの凹部に嵌合され、第２筐体のリブが第１筐体のリブに嵌合されている。
これにより、キャビネット（筐体）の表面に華飾パネルを帯状に備えることが可能になり、華飾パネルでキャビネットの外観性を良好に確保できる（例えば、特許文献１参照）。
【先行技術文献】
【特許文献】
【０００４】
【特許文献１】実開昭６０−６１７７２号公報（第１頁第１４行〜第１９行、第３頁第１０行〜第２０行、第２図）
【発明の概要】
【発明が解決しようとする課題】
【０００５】
しかし、特許文献１のキャビネットは、第１筐体および第２筐体間に華飾パネルを備えるために、第１筐体の凸部を華飾パネルの凹部に嵌合し、第２筐体のリブを第１筐体のリブに嵌合する必要がある。
よって、第１筐体の凸部、華飾パネルの凹部、第２筐体のリブおよび第１筐体のリブ等の多数の部材がキャビネットの厚み方向にそれぞれ重ね合わされる。
【０００６】
このように、多数の部材がキャビネットの厚み方向に重ね合わされるためにキャビネットの厚さ寸法が大きくなる。
このため、特許文献１の構成は、キャビネット等の比較的大きな筐体に適用することが可能であるが、携帯電話等の小型の電子機器に適用することが難しい。
【０００７】
本発明は、前述した課題を解決するためになされたものであり、その目的は、小型の電子機器の表面に華飾パネルを備えて外観性を良好に確保できる電子機器を提供することにある。
【課題を解決するための手段】
【０００８】
本発明の電子機器は、筐体と、前記筐体において同一方向を向くとともに互いに隣り合う第１表面および第２表面と、前記第２表面における前記第１表面側に設けられる華飾パネルと、前記華飾パネルにおける前記第２表面側に設けられ、前記第２表面に接触する鍔部と、前記第２表面および前記鍔部を覆う外装パネルと、を備える。
【０００９】
筐体の第２表面における第１表面側に華飾パネルを設け、華飾パネルの鍔部を第２表面に接触するように第２表面側に設けた。さらに、第２表面および鍔部を外装パネルで覆うようにした。
このように、華飾パネルの鍔部に外装パネルを重ねて鍔部を外装パネルで覆うことにより外装パネルで華飾パネルを保持できる。
【００１０】
換言すれば、第２表面、鍔部および外装パネルを三層に重ねるだけで華飾パネルを備えることができるので、筐体の厚さ方向の寸法を小さくできる。
すなわち、従来技術のように、筐体や華飾パネルの各厚さ寸法を大きくする必要がない。
これにより、小型の電子機器の表面に華飾パネルを備えることができ外観性を良好に確保できる。
【００１１】
また、本発明の電子機器は、前記華飾パネルが前記第１表面に対して突出する。
【００１２】
華飾パネルを第１表面に対して突出させることにより、華飾パネルをグリップ部として併用できるので電子機器の操作性を高めることができる。
【００１３】
さらに、本発明の電子機器は、前記外装パネルが、前記第２表面に対して両面テープおよびダボのうちのすくなくとも一方を介して固定されている。
【００１４】
第２表面に両面テープおよびダボのうちのすくなくとも一方を介して外装パネルを固定することにより、第２表面に外装パネルを強固に、かつ簡単に取り付けることができる。
【００１５】
また、本発明の電子機器は、前記筐体が前記第１表面および前記第２表面に対して交差する一対の側面を有し、前記華飾パネルが、前記各側面に廻り込む略コ字状であるとともに、長手方向両端部にそれぞれ爪部が設けられている。
【００１６】
筐体に有する一対の側面に廻り込むように華飾パネルを略コ字状に形成することにより、華飾パネルの剛性を高めることができる。
さらに、華飾パネルの長手方向両端部にそれぞれ爪部を設けることにより、爪部を各側面に係止させて華飾パネルの剛性を一層良好に確保できる。
【００１７】
さらに、本発明の電子機器は、前記華飾パネルが、第２表面に対して両面テープおよびダボのうちのすくなくとも一方を介して固定されている。
【００１８】
第２表面に両面テープおよびダボのうちのすくなくとも一方を介して華飾パネルを固定することにより、第２表面に華飾パネルを強固に、かつ簡単に取り付けることができる。
【発明の効果】
【００１９】
本発明の電子機器によれば、第２表面、鍔部および外装パネルを三層に重ねるだけで華飾パネルを備えることにより筐体の厚さ方向の寸法を小さくできる。
これにより、小型の電子機器の表面に華飾パネルを備えることができ外観性を良好に確保できる。
そして、本発明の電子機器によれば、華飾パネルの取付強度を一定以上維持したまま、華飾パネルにおける外部に露出する部分の幅寸法を小さくでき、これにより極めて細い装飾を筐体に施すことができる。
【図面の簡単な説明】
【００２０】
【図１】本発明に係る電子機器を表側から見た状態を示す斜視図
【図２】本発明に係る電子機器を裏側から見た状態を示す斜視図
【図３】図２の下筐体に備えたカバーを示す斜視図
【図４】図３に示すカバーを示す分解斜視図
【図５】図３のＩ−Ｉ線断面図
【図６】図３のＩＩ−ＩＩ線断面図
【図７】図３のＩＩＩ−ＩＩＩ線断面図
【図８】図３に示すカバーを裏側から見た状態を示す分解斜視図
【図９】図３のＩＶ−ＩＶ線断面図
【発明を実施するための形態】
【００２１】
以下、本発明の実施形態に係る電子機器について図面を参照して説明する。
【００２２】
図１に示すように、本発明の実施形態である電子機器１０は、略矩形体状に形成された下筐体（筐体）１１と、下筐体１１にスライド移動可能に積層された上筐体１２とを備えた携帯端末である。
この電子機器１０は、上筐体１２が下筐体１１から引き出された使用位置と、上筐体１２が下筐体１１に重ね合わされた携帯位置とに相対的にスライド移動可能に連結されている。
【００２３】
上筐体１２は、略矩形体状の箱形に形成され、表面１２Ａに略矩形状の表示部１４が設けられている。
さらに、上筐体１２は、表示部１４の近傍に操作部１５が設けられている。
【００２４】
図２に示すように、下筐体１１は、ケース２１およびカバー２２で略矩形体状の箱形に形成され、ケース２１のうち上筐体１２に対向する面に操作キー（図示せず）が設けられている。
【００２５】
図３、図４に示すように、カバー２２は、カバー２２に設けられた第１表面２４および第２表面２５と、第１表面２４および第２表面２５に対して交差する一対の側面２６，２７（側面２７は図６参照）とを有する。
また、カバー２２は、第１表面２４に対して交差する第１端面２８と、第２表面２５に対して交差する第２端面２９とを備えている。
【００２６】
第１表面２４は、外部に露出されることにより、カバー２２の主な表面を形成する面である。この第１表面２４に円形状のレンズ収容部２３が設けられ、レンズ収容部２３にカメラレンズ３０が収容される。
【００２７】
第２表面２５は、第１表面２４と同一方向を向いて略面一に形成されるとともに第１表面に隣り合うように形成された表面である。
この第２表面２５には下筐体１１の厚み方向に向けて嵌合孔３１が形成されている。
【００２８】
一対の側面２６，２７の一方の側面２６は、第１表面２４の一側辺２４Ａおよび第２表面２５の一側辺２５Ａに設けられ、一側辺２４Ａおよび一側辺２５Ａに対して交差するように形成されている。
また、一対の側面２６，２７の他方の側面２７は、第１表面２４の他側辺２４Ｂおよび第２表面２５の他側辺２５Ｂに設けられ、他側辺２４Ｂおよび他側辺２５Ｂに対して交差するように形成されている。
【００２９】
第１端面２８は、第１表面２４の端面２４Ｃに設けられ、第１表面２４に対して交差するように形成されている。
第２端面２９は、第２表面２５の端面２５Ｃに設けられ、第２表面２５に対して交差するように形成されている。
【００３０】
すなわち、カバー２２は、第１表面２４、第２表面２５、一対の側面２６，２７、第１端面２８および第２端面２９で略舟形に形成されている。
ここで、カバー２２は、第２表面２５のうち第１表面２４に隣接して溝部３４が形成されている。
溝部３４には一対の嵌合孔３５が形成されている。
【００３１】
また、電子機器１０は、第２表面２５に設けられた華飾パネル４１と、華飾パネル４１に一体に設けられた鍔部４２と、第２表面２５および鍔部４２を覆う外装パネル４３とを備えている。
【００３２】
図５に示すように、華飾パネル４１は、溝部３４に設けられることにより、第２表面２５における第１表面２４側に設けられている。
さらに、図６に示すように、華飾パネル４１は、長手方向に延びた両端部４１Ａ，４１Ｂが一対の側面２６，２７に廻り込むように形成されることにより略コ字状に形成されている。
華飾パネル４１を略コ字状に形成することにより、華飾パネル４１の剛性を高めることができる。
【００３３】
華飾パネル４１は、長手方向に延びた両端部（長手方向両端部）４１Ａ，４１Ｂにそれぞれ爪部（一対の爪部）４５，４６が設けられている。
一対の爪部４５，４６は、一方の爪部４５が一端部４１Ａの内側４１Ｃに形成され、他方の爪部４６が他端部４１Ｂの縁４１Ｄに形成されている。
【００３４】
一方の爪部４５は一方の側面２６の縁部２６Ａに係止され、他方の爪部４６が他方の側面２７の縁部２７Ａに係止されている。
一対の爪部４５，４６を縁部２６Ａおよび縁部２７Ａに係止する際には、先ず、他方の爪部４６を縁部２７Ａに係止し、その後一方の爪部４５を縁部２６Ａに係止する。
これにより、一対の爪部４５，４６を縁部２６Ａおよび縁部２７Ａに容易に係止できる。
【００３５】
このように、一方の爪部４５を一方の側面２６の縁部２６Ａに係止し、かつ、他方の爪部４６を他方の側面２７の縁部２７Ａに係止することにより華飾パネル４１の剛性を一層良好に確保できる。
【００３６】
図５に示すように、華飾パネル４１は、第１表面２４に対して突出するように形成されている。
よって、第１表面２４および華飾パネル４１で段差部が形成される。これにより、華飾パネル４１の露出面積を大きく確保して目視しやすくでき、かつ、段差部を掌で好適に握りやすくできる。
【００３７】
鍔部４２は、華飾パネル４１における第２表面２５側に設けられ、図７に示すように、第２表面２５の溝部３４に接触する部位である。
図４に示すように、鍔部４２は、華飾パネル４１に沿って形成された鍔部本体５１と、鍔部本体５１の両端部近傍から第２表面２５に向けて張り出された一対の張出片５２と、一対の張出片５２から溝部３４に向けて突出された一対の鍔部ダボ（ダボ）５３（図８参照）とを有する。
【００３８】
図５に示すように、鍔部本体５１の裏面５１Ａおよび華飾パネル４１の裏面４１Ｇが華飾両面テープ（両面テープ）５５を介して溝部３４に接着されることにより、鍔部本体５１および華飾パネル４１が華飾両面テープ５５を介して溝部３４に固定されている。
さらに、図９に示すように、一対の張出片５２の各鍔部ダボ５３が一対の嵌合孔３５に嵌合されることにより、一対の張出片５２が一対の鍔部ダボ５３を介して溝部３４に固定されている。
【００３９】
すなわち、華飾パネル４１および鍔部本体５１は、華飾両面テープ５５および鍔部ダボ５３を介して溝部３４（第２表面２５）に固定されている。
これにより、華飾パネル４１および鍔部本体５１を溝部３４に対し強固に、かつ簡単に取り付けることができる。
【００４０】
この状態において、図５に示すように、華飾パネル４１が第１表面２４に対して突出されている。
華飾パネル４１が第１表面２４に対して突出されることにより、華飾パネル４１をカバー２２に帯状に設けることができる。
これにより、カバー２２の第１表面２４および第２表面２５間に華飾パネル４１を帯状に備えてカバー２２（すなわち、上筐体１２）の外観性を良好に確保できる。
【００４１】
華飾パネル４１を第１表面２４に対して突出させることにより、華飾パネル４１をグリップ部として併用することも可能である。
これにより、電子機器１０を使用する際にグリップ部（すなわち、華飾パネル４１）を手に好適になじませて電子機器１０の操作性を高めることができる。
【００４２】
図８に示すように、外装パネル４３は、第２表面２５および鍔部４２を覆うパネルであり、裏面４３Ａから第２表面２５に向けて外装ダボ（ダボ）５６が突出されている。
この外装パネル４３は、図５に示すように、第２表面２５に対して外装両面テープ（両面テープ）５７を介して固定されている。
さらに、外装パネル４３は、第２表面２５の嵌合孔３１に外装ダボ５６が係合されることにより外装ダボ５６を介して第２表面２５に固定されている。
【００４３】
このように、第２表面２５に外装両面テープ５７および外装ダボ５６を介して外装パネル４３を固定することにより、カバー２２の第２表面２５側に外装パネル４３を強固に、かつ簡単に取り付けることができる。
【００４４】
さらに、外装パネル４３は、図９に示すように、一対の側部４３Ａ，４３Ｂにそれぞれ爪部６１，６２を有する。
爪部６１は、カバー２２の一側辺２５Ａに対して係止される棚形状とされ、爪部６２はカバー２２の凹部２７Ｂが係止可能な断面先細り形状となっている。
一対の爪部６１，６２のうち一方の爪部６１がカバー２２の一側辺２５Ａに係止され、一対の爪部６１，６２のうち他方の爪部６２がカバー２２の凹部２７Ｂに係止されている。
これにより、カバー２２の第２表面２５側に外装パネル４３が一層強固に取り付けられている。
【００４５】
以上説明したように、下筐体（筐体）１１の第２表面２５における第１表面２４側に華飾パネル４１を設け、華飾パネル４１の鍔部４２を第２表面２５に接触するように第２表面２５側に設けた。
さらに、第２表面２５および鍔部４２を外装パネル４３で覆うようにした。
【００４６】
このように、華飾パネル４１の鍔部４２に外装パネル４３を重ねて鍔部４２を外装パネル４３で覆うことにより外装パネル４３で華飾パネル４１を保持できる。
換言すれば、第２表面２５、鍔部４２および外装パネル４３を三層に重ねるだけで華飾パネル４１を備えることができるので、カバー２２の厚さ方向の寸法を小さくできる。
【００４７】
よって、従来技術のように、カバー２２の厚さ寸法を大きくする必要がない。
これにより、小型の電子機器１０のカバー（表面）２２に華飾パネル４１を備えることができ外観性を良好に確保できる。
そして、電子機器１０は、カバー２２に対する華飾パネル４１の取付強度を一定以上維持したまま、華飾パネル４１における外部に露出する部分の幅寸法を小さくでき、これにより極めて細い装飾を下筐体１１に施すことができる。
【００４８】
なお、本発明に係る電子機器は、前述した実施形態に限定されるものではなく適宜変更、改良等が可能である。
例えば、実施形態では、電子機器１０を携帯端末として例示したが、これに限らないで、他の機器を電子機器として用いることも可能である。
【００４９】
また、実施形態では、第２表面２５に外装両面テープ５７および外装ダボ５６を介して外装パネル４３を固定する例について説明したが、これに限らないで、外装両面テープ５７および外装ダボ５６のうちのすくなくとも一方を介して外装パネル４３を固定することも可能である。
【００５０】
さらに、実施形態では、第２表面２５に華飾両面テープ５５および鍔部ダボ５３を介して華飾パネル４１を固定する例について説明したが、これに限らないで、華飾両面テープ５５および鍔部ダボ５３のうちのすくなくとも一方を介して華飾パネル４１を固定することも可能である。
【００５１】
また、実施形態で使用した電子機器、上筐体、第１表面、第２表面、華飾パネル、鍔部、外装パネル、両面テープ、ダボ、一対の側面および爪部等の形状や構成は例示したものに限定するものではなく適宜変更が可能である。
【産業上の利用可能性】
【００５２】
本発明は、筐体の外観性を良好に確保するために筐体に装飾用の華飾パネルを帯状に備えた電子機器への適用に好適である。
【符号の説明】
【００５３】
１０  電子機器
１１  下筐体（筐体）
２４  第１表面
２５  第２表面
２６，２７  一対の側面
４１  華飾パネル
４２  鍔部
４３  外装パネル
４５，４６  一対の爪部（爪部）
５３  鍔部ダボ（ダボ）
５５  華飾両面テープ（両面テープ）
５６  外装ダボ（ダボ）
５７  外装両面テープ（両面テープ）
【図１】
2012234929.tif 000003
【図２】
2012234929.tif 000004
【図３】
2012234929.tif 000005
【図４】
2012234929.tif 000006
【図５】
2012234929.tif 000007
【図６】
2012234929.tif 000008
【図７】
2012234929.tif 000009
【図８】
2012234929.tif 000010
【図９】
2012234929.tif 000011